(57)【要約】【課題】この発明は、簡易な操作で、録画する番組内容に応じた画質パラメータと音質パラメータとの設定を可能とし、ユーザにとっての取り扱いを便利にするようにした情報記録装置及び情報記録方法を提供することを目的としている。【解決手段】画質パラメータに応じた信号処理が施された映像信号と、音質パラメータに応じた信号処理が施された音声信号とを記録する装置である。予め画質パラメータと音質パラメータとの組み合わせを複数組登録可能としておき、登録された複数組の画質パラメータと音質パラメータとの組み合わせから１つの組み合わせを選択し、その選択された画質パラメータ及び音質パラメータを、映像信号及び音声信号の信号処理に供する。【選択図】    図１
2004282779.tif 000002
【特許請求の範囲】
【請求項１】
映像信号に画質パラメータに応じた信号処理を施す映像信号処理手段と、
音声信号に音質パラメータに応じた信号処理を施す音声信号処理手段と、
前記映像信号処理手段及び前記音声信号処理手段から出力された映像信号及び音声信号を記録する記録手段と、
前記画質パラメータと音質パラメータとの組み合わせを複数組登録可能とする登録手段と、
この登録手段で登録された複数組の画質パラメータと音質パラメータとの組み合わせから、１つの組み合わせを選択する選択手段とを具備し、
前記選択手段で選択された画質パラメータ及び音質パラメータを、前記映像信号処理手段及び前記音声信号処理手段の信号処理に供することを特徴とする情報記録装置。
【請求項２】
前記登録手段は、登録された画質パラメータと音質パラメータとの各組み合わせに対して、それぞれ組名称を付加することが可能であることを特徴とする請求項１記載の情報記録装置。
【請求項３】
前記登録手段は、画質パラメータと音質パラメータとを加算した値が予め定められた一定値以下となるようにして、画質パラメータと音質パラメータとの組み合わせを登録可能であることを特徴とする請求項１または２記載の情報記録装置。
【請求項４】
映像信号に画質パラメータに応じた信号処理を施す映像信号処理工程と、
音声信号に音質パラメータに応じた信号処理を施す音声信号処理工程と、
前記映像信号処理工程及び前記音声信号処理工程から出力された映像信号及び音声信号を記録する記録工程と、
前記画質パラメータと音質パラメータとの組み合わせを複数組登録可能とする登録工程と、
前記登録工程で登録された複数組の画質パラメータと音質パラメータとの組み合わせから、１つの組み合わせを選択する選択工程とを有し、
前記選択工程で選択された画質パラメータ及び音質パラメータを、前記映像信号処理工程及び前記音声信号処理工程の信号処理に供することを特徴とする情報記録方法。
【発明の詳細な説明】
【技術分野】
【０００１】
この発明は、画像や音声等の情報をそれぞれ圧縮して記録する情報記録装置及び情報記録方法の改良に関する。
【背景技術】
【０００２】
周知のように、ＤＶＤ（Digital Versatile Disk）やＨＤＤ（Hard Disk Drive）を利用した録画再生装置にあっては、映像信号や音声信号に圧縮処理を施して記録するようにしている。そして、この種の録画再生装置では、ユーザが、映像信号や音声信号に対する圧縮率を指定することができる。
【０００３】
一般に、圧縮率を低く設定すると、画質や音質は向上するが、単位時間当たりのデータ量は増加する。このため、ユーザは、画質や音質とデータ量とを考慮して圧縮率を指定することになる。例えば音楽番組では、高音質が望まれるので、音声信号に対する圧縮率が低くなるように指定される。
【０００４】
また、ＭＰＥＧ（Moving Picture Image Coding Experts Group）２方式のように、フレーム間の相関を利用した映像信号の圧縮方式においては、スポーツ番組のように動きの激しい場面が多い番組に対しては、映像信号の圧縮率が低くなるように指定した方が、画質を向上させることができる。
【０００５】
特許文献１には、テレビジョン番組の種類によって符号化条件を変えることにより、番組の種類に適した符号化条件で符号化を行なって記録媒体に記録する構成が開示されている。また、特許文献２には、設定された属性データに基づいて所定単位の情報を処理し、属性データと関連付けて記録する構成が開示されている。
【０００６】
しかしながら、これら特許文献１，２は、いずれも、装置側で符号化条件を決定する構成であったり、装置に予め固定の属性データが用意されている構成であって、ユーザが番組の内容に応じて圧縮率を新たに設定して登録することはできないものである。また、複数の記録媒体に対して選択的に設定登録することもできないものである。
【特許文献１】特開平１１−５５６２６号公報
【特許文献２】特開２００１−１９７４３１号公報
【発明の開示】
【発明が解決しようとする課題】
【０００７】
そこで、この発明は上記事情を考慮してなされたもので、簡易な操作で、録画する番組内容に応じた画質パラメータと音質パラメータとの設定を可能とし、ユーザにとっての取り扱いを便利にするようにした極めて良好な情報記録装置及び情報記録方法を提供することを目的とする。
【課題を解決するための手段】
【０００８】
この発明に係る情報記録装置は、映像信号に画質パラメータに応じた信号処理を施す映像信号処理手段と、音声信号に音質パラメータに応じた信号処理を施す音声信号処理手段と、映像信号処理手段及び音声信号処理手段から出力された映像信号及び音声信号を記録する記録手段と、画質パラメータと音質パラメータとの組み合わせを複数組登録可能とする登録手段と、この登録手段で登録された複数組の画質パラメータと音質パラメータとの組み合わせから、１つの組み合わせを選択する選択手段とを備え、選択手段で選択された画質パラメータ及び音質パラメータを、映像信号処理手段及び音声信号処理手段の信号処理に供するようにしたものである。
【０００９】
また、この発明に係る情報記録方法は、映像信号に画質パラメータに応じた信号処理を施す映像信号処理工程と、音声信号に音質パラメータに応じた信号処理を施す音声信号処理工程と、映像信号処理工程及び音声信号処理工程から出力された映像信号及び音声信号を記録する記録工程と、画質パラメータと音質パラメータとの組み合わせを複数組登録可能とする登録工程と、登録工程で登録された複数組の画質パラメータと音質パラメータとの組み合わせから、１つの組み合わせを選択する選択工程とを有し、選択工程で選択された画質パラメータ及び音質パラメータを、映像信号処理工程及び音声信号処理工程の信号処理に供するようにしたものである。
【発明の効果】
【００１０】
上記した発明によれば、ユーザが予め画質パラメータと音質パラメータとの組み合わせを複数組登録可能としておき、録画を行なう際に必要な組み合わせを選択するようにしたので、簡易な操作で、録画する番組内容に応じた画質パラメータと音質パラメータとの設定が可能となり、ユーザにとっての取り扱いを便利にすることができる。
【発明を実施するための最良の形態】
【００１１】
以下、この発明の実施の形態について図面を参照して詳細に説明する。図１は、この実施の形態で説明する録画再生装置を示している。まず、映像信号は、映像入力回路１１を介して映像圧縮装置１２で圧縮処理される。また、音声信号は、音声入力回路１３を介して音声圧縮装置１４で圧縮処理される。
【００１２】
映像圧縮装置１２で圧縮された映像信号と、音声圧縮装置１４で圧縮された音声信号とは、合成装置１５によって合成され、データ転送回路１６を介して、ＤＶＤ等の光ディスク１７及びハードディスク１８に、選択的または同時に記録される。
【００１３】
一方、光ディスク１７に記録された信号及びハードディスク１８に記録された信号は、それぞれ選択的に読み出される。この光ディスク１７及びハードディスク１８から選択的に読み出された信号は、データ転送装置１６を介して分離装置１９に供給され、映像信号と音声信号とに分離される。
【００１４】
分離された映像信号は、映像復号装置２０で伸長処理された後、映像出力回路２１を介して図示しないモニタによる映像表示に供される。また、分離された音声信号は、音声復号装置２２で伸長処理された後、音声出力回路２３を介して図示しないスピーカによる音声再生に供される。
【００１５】
ここで、例えば光ディスク１７から読み出して映像出力回路２１及び音声出力回路２３から出力された映像信号及び音声信号を、映像入力回路１１及び音声入力回路１３に入力し、ハードディスク１８に記録させることにより、光ディスク１７からハードディスク１８へのダビングを行なうことができる。
【００１６】
また、逆に、ハードディスク１８から読み出して映像出力回路２１及び音声出力回路２３から出力された映像信号及び音声信号を、映像入力回路１１及び音声入力回路１３に入力し、光ディスク１７に記録させることにより、ハードディスク１８から光ディスク１７へのダビングを行なうこともできる。
【００１７】
上記のような一連の動作は、マイクロコンピュータ２４によって統括的に制御されている。このマイクロコンピュータ２４は、キーボード２５及びリモートコントローラ２６からの操作情報を受けて、録画再生装置の各部の動作を制御している。
【００１８】
また、このマイクロコンピュータ２４にはメモリ２７が接続されている。このメモリ２７は、マイクロコンピュータ２４に対する制御プログラムを格納するための機能と、マイクロコンピュータ２４のワークメモリとしての機能と、種々の設定値を保持するための機能とを有している。
【００１９】
ここで、ユーザは、キーボード２５またはリモートコントローラ２６を操作することによって、予め、録画を行なう際の画質パラメータ（圧縮率）と音質パラメータ（圧縮率）との組み合わせを複数組設定し、メモリ２７にパラメータテーブルとして登録しておくことができる。
【００２０】
図２は、このパラメータテーブルの一例を示している。このパラメータテーブルは、５種類の組番号１〜５が用意されており、各組番号１〜５毎にそれぞれ、モード、画質パラメータ、音質パラメータ及び組名称とをユーザが入力して登録可能となっている。
【００２１】
モードは、ＳＰ（Standard Position），ＬＰ（Long Position），ＭＰ（Manual Position）の３種類がある。ＳＰモードでは、画質パラメータが４．６Mbps（Mega bit per second）に固定される。ＬＰモードでは、画質パラメータが２．２Mbpsに固定される。ＭＰモードでは、画質パラメータが、２．０〜９．２Mbpsの範囲で０．２Mbpsづつ可変可能となる。
【００２２】
画質パラメータの欄には、モードがＳＰのとき４．６Mbpsが表示され、モードがＬＰのとき２．２Mbpsが表示され、モードがＭＰのときユーザが２．０〜９．２Mbpsの範囲で設定した値が表示される。
【００２３】
音質パラメータは、ＡＣ（Audio Compression）−３（１９２kbps），ＡＣ−３（１２８kbps），リニアＰＣＭ（Pulse Code Modulation）の３種類がある。ＡＣ−３（１２８kbps）のときには、画質パラメータを２．０〜９．２Mbpsの範囲内で設定することができる。
【００２４】
ただし、音質パラメータをＡＣ−３（１９２kbps）に設定した場合には、画質パラメータは、２．０〜９．０Mbpsの範囲内で設定可能となる。また、音質パラメータをリニアＰＣＭに設定した場合には、画質パラメータは、２．０〜８．４Mbpsの範囲内で設定可能となる。要するに、画質パラメータと音質パラメータとを加算した値が、１０Mbps以下となるように制御されている。
【００２５】
組名称は、ユーザが設定した画質パラメータと音質パラメータとの組に、自分でわかりやすいように自由な名称を付けたものである。図２に示した例では、組番号１に対して「映画用」、組番号２に対して「音楽用」、組番号３に対して「ニュース用」という名称を付けている。
【００２６】
このため、ユーザは、番組を録画する前に、キーボード２５またはリモートコントローラ２６を操作して、図２に示したパラメータテーブルをモニタに表示させる。そして、録画しようとする番組が映画であれば、組名称の「映画用」を選択操作する。
【００２７】
これにより、マイクロコンピュータ２４は、パラメータテーブルから組番号１の画質パラメータ４．６Mbps、音質パラメータＡＣ−３（１９２kbps）を読み取り、画質パラメータを映像圧縮装置１２にセットするとともに、音質パラメータを音声圧縮装置１４にセットして、番組の録画が行なわれる。
【００２８】
また、このような画質パラメータと音質パラメータとの組の選択は、番組を録画する媒体が光ディスク１７であるかハードディスク１８であるかに応じて、それぞれ別個に設定することもできる。例えば光ディスク１７への録画に対しては組番号１を選択し、ハードディスク１８への録画に対しては組番号２を選択するというように、別々に設定することができる。
【００２９】
図３は、上記のように、パラメータテーブルから選択された画質パラメータと音質パラメータとを用いる録画動作をまとめたフローチャートを示している。まず、開始（ステップＳ１１）されると、マイクロコンピュータ２４は、ステップＳ１２で、番組の録画媒体として光ディスク１７が選択設定されているか否かを判別する。
【００３０】
光ディスク１７が選択設定されていると判断された場合（ＹＥＳ）、マイクロコンピュータ２４は、ステップＳ１３で、光ディスク１７への録画に対して選定されている画質パラメータと音質パラメータとの組の組名称から、パラメータテーブルを参照してその組の組番号を取得する。
【００３１】
また、ステップＳ１２で光ディスク１７が選択設定されていないと判断された場合（ＮＯ）、マイクロコンピュータ２４は、ステップＳ１４で、ハードディスク１８への録画に対して選定されている画質パラメータと音質パラメータとの組の組名称から、パラメータテーブルを参照してその組の組番号を取得する。
【００３２】
そして、ステップＳ１３またはステップＳ１４の後、マイクロコンピュータ２４は、ステップＳ１５で、取得した組番号の画質パラメータを映像圧縮装置１２にセットし、ステップＳ１６で、取得した組番号の音質パラメータを音声圧縮装置１４にセットする。
【００３３】
その後、マイクロコンピュータ２４は、ステップＳ１７で、映像圧縮装置１２及び音声圧縮装置１４等を駆動して番組の録画処理を実行させる。このとき、映像圧縮装置１２及び音声圧縮装置１４は、セットされた画質パラメータ及び音質パラメータに基づいて圧縮処理を行ない、ここに、ユーザの設定したパラメータでの圧縮処理が行なわれ、終了（ステップＳ１８）される。
【００３４】
上記した実施の形態によれば、予め、ユーザが画質パラメータと音質パラメータとの組み合わせをパラメータテーブルとして複数組登録しておき、録画を行なう際にはパラメータテーブルから必要な組み合わせを選択するだけでよいようにしたので、簡易な操作で、録画する番組内容に応じた画質パラメータと音質パラメータとの設定が可能となり、ユーザにとっての取り扱いを便利にすることができる。
【００３５】
また、上記光ディスク１７とハードディスク１８のように、複数種類の記録媒体に対して、映像信号及び音声信号を選択的または同時に記録することが可能な録画再生装置に使用することにより、ユーザの利用形態に応じた取り扱いができるようになるので、特に効果的となる。
【００３６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００３７】
【図１】この発明の実施の形態を示すもので、録画再生装置を説明するために示すブロック構成図。
【図２】同実施の形態におけるパラメータテーブルの一例を説明するために示す図。
【図３】同実施の形態における録画処理動作を説明するために示すフローチャート。
【符号の説明】
【００３８】
１１…映像入力回路、１２…映像圧縮装置、１３…音声入力回路、１４…音声圧縮装置、１５…合成装置、１６…データ転送回路、１７…光ディスク、１８…ハードディスク、１９…分離装置、２０…映像復号装置、２１…映像出力回路、２２…音声復号装置、２３…音声出力回路、２４…マイクロコンピュータ、２５…キーボード、２６…リモートコントローラ、２７…メモリ。
【図１】
2004282779.tif 000003
【図２】
2004282779.tif 000004
【図３】
2004282779.tif 000005